(57)【要約】【課題】いたずらや盗難を防止するロック機構を有するカメラで、不意に電源がＯＦＦされた時や、カメラの電源がＯＮの時にシステムダウンした時でも、レンズの取り外しが可能で作業性が向上した監視カメラを提供すること。【解決手段】レンズ交換可能な撮像装置であって、レンズを固定するロック機構と、前記ロック機構を外部からの操作により直接解錠/施錠する操作部材を備えた撮像装置に於いて、前記撮像装置は前記操作部材を覆うカバー部材を有し、さらに前記撮像装置は前記カバー部材を固定する手段を有することを特徴とする。【選択図】図１
2017161679.tif 000002
【特許請求の範囲】
【請求項１】
レンズ交換可能な撮像装置であって、レンズを固定するロック機構と、前記ロック機構を外部からの操作により直接解錠/施錠する操作部材を備えた撮像装置に於いて、前記撮像装置は前記操作部材を覆うカバー部材を有し、さらに前記撮像装置は前記カバー部材を保持する固定手段を有することを特徴とする撮像装置。
【請求項２】
前記操作部材を保持する固定手段を有することを特徴とする請求項１に記載の撮像装置。
【発明の詳細な説明】
【技術分野】
【０００１】
本発明は、レンズ交換可能な撮像装置に関し、特にカメラとレンズの固定部であるマウントの着脱構造に関する。
【背景技術】
【０００２】
近年、画像を遠隔的にモニタリングできる監視カメラに於いて、レンズ交換可能なものが知られている。レンズ交換可能な監視カメラはある定点に設置された後にはレンズを交換する頻度は少ない。
【０００３】
しかし、様々なレンズ群から画角等を選択することできるため、被写体の距離や明るさに応じて最適な条件での撮影が可能となる。
【０００４】
レンズ交換可能なカメラはレンズの取り付け互換性を保つための所謂マウント構造を備えており、操作性の向上や信頼性の向上を目的とした技術等の様々な技術が開示されている。その中でも、カメラからレンズが盗難されないように取り外しの保安性を向上させた技術の開示がある。
【０００５】
特許文献１には、レンズ交換可能な撮像装置に於いて、レンズロックピンに指紋センサーを有しており、レンズ交換時には指紋の照合を行ったうえでロックを解錠する技術が開示されている。
【０００６】
また、特許文献２には、三脚座を備えた交換レンズ装置の三脚座内部に盗難防止部材を装着可能なロック装着部を有している技術が開示されている。
【先行技術文献】
【特許文献】
【０００７】
【特許文献１】特開２０１２−１５９６２７号公報
【特許文献２】特開２０１２−３７６９３号公報
【発明の概要】
【発明が解決しようとする課題】
【０００８】
監視カメラは遠隔的なモニタリングが主となり、監視カメラの設置場所では無人となるのが一般的である。このため、レンズ交換可能な監視カメラに於いてはいたずらや盗難でレンズを外されてしまうと撮影が続けられなくなってしまう。そのため、簡単にレンズを外れなくするためのいたずらや盗難を防止するロック機構を備えていることが望ましい。
【０００９】
しかしながら、レンズ交換式の監視カメラに於いて、外部からの信号でロック機構の解錠/施錠を選択可能にした場合には、電源ＯＮでロック機構を動作させていると、不意の電源ＯＦＦ時にレンズが取り外しできない、ロック機構のための電源はＯＮしているがメインシステムがダウンするとレンズが取り外しできなくなる等が生じる。この時は故障の可能性の確認等ができなくなってしまい作業性が大変低い。つまり、監視カメラ用途に対応した作業性の向上とロック機構の両立が必要になる。
【００１０】
しかしながら、上述の特許文献１に開示された技術では、指紋の照合でレンズのロック解錠を行うので、電源がＯＦＦしてしまうと指紋認証が動作しない。また、上述の特許文献２の技術では、三脚座を有するレンズに対する盗難は防止可能であるが、三脚座を持たないレンズに対してはカメラ本体からレンズの取り外しが容易であり、カメラ本体とレンズの取り付け（マウント部）に対する更なる盗難防止機構が必要である。
【００１１】
そこで、本発明の目的は、いたずらや盗難を防止するロック機構を有するカメラで、不意に電源がＯＦＦされた時や、カメラの電源がＯＮの時にシステムダウンした時でも、レンズの取り外しが可能で作業性が向上した監視カメラを提供することにある。
【課題を解決するための手段】
【００１２】
上記の目的を達成するために、本発明に係る撮像装置は、
レンズ交換可能な撮像装置であって、レンズを固定するロック機構と、前記ロック機構を外部からの操作により直接解錠/施錠する操作部材を備えた撮像装置に於いて、前記撮像装置は前記操作部材を覆うカバー部材を有し、さらに前記撮像装置は前記カバー部材を固定する手段を有することを特徴とする。
【発明の効果】
【００１３】
本発明によれば、いたずらや盗難を防止するロック機構を有するカメラで、不意にカメラの電源がＯＦＦされた時や、カメラの電源がＯＮの時にシステムダウンした時でも、レンズの取り外しが可能で作業性が向上した監視カメラを提供することが可能となる。
【図面の簡単な説明】
【００１４】
【図１】本発明の第一の実施例を適用した監視カメラ説明図である。
【図２】本発明の第一の実施例を適用した監視カメラ説明図である。
【図３】本発明の第一の実施例を適用した監視カメラ説明図である。
【図４（ａ）】第一の実施例に於けるロック機構の詳細図である。
【図４（ｂ）】第一の実施例に於けるロック機構の詳細図である。
【図５】第一の実施例に於けるカバー部材分解図である。
【図６】本発明の第二の実施例を適用した監視カメラ説明図である。
【図７】第二の実施例に於けるマウント構造の詳細図である。
【発明を実施するための形態】
【００１５】
以下に、本発明の好ましい実施の形態を、添付の図面に基づいて詳細に説明する。
【００１６】
［実施例１］
図２は本発明の第１の実施例の監視カメラ全体構成の図である。
【００１７】
同図に於いて、１はカメラ本体に交換可能に取り付けられるレンズ、２はレンズを交換する際にユーザーが押し込み操作を行う操作部材である。操作部材２は不図示の片寄せばね力によって光軸方向である図中Ｚ方向へ付勢されている。
【００１８】
監視カメラ内部にはカメラの撮像素子を含む撮影を行うための基板やネットワーク系を制御するネットワーク制御基板等を有しているが公知の技術であるため、本実施例では本発明に対する特徴的な技術のみを説明し、公知の技術の詳しい説明は省略する。
【００１９】
図３に、図２からレンズ１を取り外した状態の図を示す。
【００２０】
カメラ本体にはレンズ１を取り付けるためのマウント部３が備えられている。マウント部３には３か所の爪部が備えられており、不図示のレンズ１の爪に係合し固定する所謂バヨネット構造である。
【００２１】
図４（ａ）はカメラ本体内部のロック機構を示した図である。図４（ｂ）は後述するロックピン４の動作を示す図である。図４（ａ）及び図４（ｂ）を用いて説明する。
【００２２】
マウント部３に於いて、レンズ１を回転固定するロック機構の解錠/施錠はマウント部３よりＺ方向に突出するロックピン４にて行われる。レンズ１のロック機構を施錠する場合はロックピン４がマウント部３より図中矢印Ａ方向へ突出し、対向するレンズ１に設けられた嵌合穴にロックピン４が入り込むことによりロック機構が施錠される。レンズ１のロック機構を解錠する場合はロックピン４が図矢印Ｂ方向に進退し、マウント部３の面よりも退避することによりロック機構が解錠される。したがって、レンズ１のバヨネット機構を用いた回転取り外しが可能になる。
【００２３】
操作部材２には操作部材２を押し込んだ時にロックピン４を共に押し込めるように操作部軸が備えられている。操作部軸は操作部材２とは別部品で構成されていても良い。
前述のように操作部材２は不図示の片寄せばね力によって光軸方向である図中Ｚ方向へ付勢されているが、ユーザーが操作部材２を光軸方向に押し込むことによって、ロックピン４が共に押し込まれる。
【００２４】
よって、バヨネット構造を用いることにより、ユーザーがレンズ１をカメラ本体から交換する時には、操作部材２を押し込んでマウント部３からロックピン４を退避させる、レンズ１をカメラ本体対して回転させてカメラ本体よりレンズ１を外す。以上の操作によってレンズを交換可能となる。また、取り付けは逆手順になる。
【００２５】
１０は操作部材２をユーザー以外が簡単に操作させないために図５に示すように操作部材２を覆うカバー部材である。１１は前記カバー部材１０を保持するカバー固定部材である。カバー固定部材１１は本実施例に於いてトルクス（登録商標）ねじとしているが、これはユーザー以外が簡単に回転させないための固定部材であればトルクス（登録商標）以外の穴形状を設けたねじでも良い。またねじではなく鍵形状を設けた軸部材でも良い。さらにカバー固定部材１１は、ユーザーが操作する場合を除いて外部からの認識が困難になるようなシールや蓋といった構造体で覆われることが望ましい。また外部からの認識が困難な外観位置に固定されていることが望ましい。
【００２６】
以上説明したように、本実施例はユーザーが外部からの操作でロック機構を直接解錠/施錠が可能で且つ容易な操作方法でレンズの取り付け/取り外しを行うことが可能である。
【００２７】
［実施例２］
図６は本発明の第２の実施例ついて説明した図である。なお、実施例１と同一の機能を有する部品には同一の番号を付し、詳しい説明は省略する。
１２は前記操作部材２を保持する操作部固定部材である。操作部固定部材１２は本実施例に於いてトルクス（登録商標）ねじとしているが、これはユーザー以外が簡単に回転させないための固定部材であればトルクス（登録商標）以外の穴形状を設けたねじでも良い。またねじではなく鍵形状を設けた軸部材でも良い。
【００２８】
図７に示すように操作部固定部材１２で操作部材２を保持する構造は、本実施例に於いて操作部固定部材１２で操作部材２を直接締結する構造としているが、操作部材２に設けた貫通穴に操作部固定部材１２を貫通させ操作部材２の動作を抑制する構造であっても良い。さらに操作部固定部材１２は、ユーザーが操作する場合を除いて外部からの認識が困難になるようなシールや蓋といった構造体で覆われることが望ましい。また外部からの認識が困難な外観位置に固定されていることが望ましい。
【００２９】
以上述べたように、本実施例はユーザーが外部からの操作でロック機構を直接解錠/施錠が可能で且つ容易な操作方法でレンズの取り付け/取り外しを行うことが可能である。
【００３０】
よって、本発明を用いることによって、いたずらや盗難を防止するロック機構を有するカメラで、不意にカメラの電源がＯＦＦされた時や、カメラの電源がＯＮの時にシステムダウンした時でも、レンズの取り外しが可能で作業性が向上した監視カメラを提供することができる。
【００３１】
以上、本発明の好ましい実施形態について説明したが、本発明はこれらの実施形態に限定されず、その要旨の範囲内で種々の変形及び変更が可能である。
【符号の説明】
【００３２】
１  レンズ、２  操作部材、３  マウント部、４  ロックピン、１０  カバー部材、
１１  カバー固定部材、１２  操作部固定部材
【図１】
2017161679.tif 000003
【図２】
2017161679.tif 000004
【図３】
2017161679.tif 000005
【図４（ａ）】
2017161679.tif 000006
【図４（ｂ）】
2017161679.tif 000007
【図５】
2017161679.tif 000008
【図６】
2017161679.tif 000009
【図７】
2017161679.tif 000010